(57)【要約】【課題】擬似コモンインピーダンスを用いず、簡単な構造で、実際の伝送線路の差動インピーダンスを測定することで、伝送線路インピーダンス管理を行う。【解決手段】差動インピーダンス測定端子選択装置１００として、プリント基板１０２を主体として、被測定装置側、差動インピーダンス装置側のそれぞれに適合するコネクタ部（ＦＰＣ／ＦＦＣコネクタ部１０４、ＳＭＡコネクタ部１０６）を設けると共に、プリント基板１０２上に複数の伝送ライン対１１２を形成し、当該伝送ライン対１１２の数に対応したＳＭＡコネクタ部１０６を取り付けた。これにより、異なる差動インピーダンス測定端子位置のＦＰＣ／ＦＦＣ５６であっても、同じようにアダプタプレート１１０を介して、ＦＰＣ／ＦＦＣコネクタ部１０４に装着することで、それぞれ、差動インピーダンス測定が可能となる。【選択図】図１
2009085888.tif 000002
【特許請求の範囲】
【請求項１】
フレキシブルプリント基板に設けられた配線パターンが集結され、それぞれ所定ピッチで配列された複数の入出力端子群、或いは一端部が前記入出力端子群の各端子に電気的に接続されたフレキシブルフラットケーブルの他端部端子群を対象として差動インピーダンスを測定するべく、前記入出力端子群又は前記他端部端子群から２端子を選択してインピーダンス測定装置へ中継する差動インピーダンス測定端子選択装置であって、
前記インピーダンス測定装置が接続される測定装置側コネクタが取り付けられた測定基板と、
前記フレキシブルプリント基板の入出力端子群又は前記フレキシブルフラットケーブルの他端部端子群を前記測定基板の配線パターンに電気的に接続可能、かつ着脱可能な被検査側コネクタとを有し、
前記測定装置側コネクタが、前記入出力端子群又は他端部端子群のそれぞれと電気的接続された前記測定基板の配線パターンの少なくとも２端子を一対として一対以上設けられている差動インピーダンス測定端子選択装置。
【請求項２】
前記被検査側コネクタを、前記測定基板に装着した状態で電気的接続対象を変更するために移動させる移動手段をさらに有する請求項１記載の差動インピーダンス測定端子選択装置。
【請求項３】
前記被検査側コネクタを、電気的接続対象を変更した所定の位置に固定する固定手段をさらに有し、
前記固定手段により固定された被検査側コネクタの固定状態が、所定の操作によって解除することで、繰り返し所望の位置の固定可能とされる請求項１記載の差動インピーダンス測定端子選択装置。
【請求項４】
フレキシブルプリント基板に設けられた配線パターンが集結され、それぞれ所定ピッチで配列された複数の入出力端子群、或いは一端部が前記入出力端子群の各端子に電気的に接続されたフレキシブルフラットケーブルの他端部端子群を対象として差動インピーダンスを測定するべく、前記入出力端子群又は前記他端部端子群から２端子を選択してインピーダンス測定装置へ中継するために、
前記インピーダンス測定装置が接続される測定装置側コネクタが取り付けられた測定基板と、前記フレキシブルプリント基板の入出力端子群又は前記フレキシブルフラットケーブルの他端部端子群を前記測定基板の配線パターンに電気的に接続可能、かつ着脱可能な被検査側コネクタとを有する差動インピーダンス測定端子選択装置を用いた差動インピーダンス測定方法であって、
前記測定装置側コネクタを、前記入出力端子群又は他端部端子群のそれぞれと電気的接続された前記測定基板の配線パターンの少なくとも２端子を一対として一対以上設け、
選択的に異なる２端子の差動インピーダンスを測定対象とする差動インピーダンス測定方法。
【請求項５】
前記被検査側コネクタを、前記基板に装着した状態で電気的接続対象を変更するために移動させる請求項４記載の差動インピーダンス測定方法。
【請求項６】
前記差動インピーダンス測定端子選択装置が、前記被検査側コネクタを、電気的接続対象を変更した所定の位置に固定する固定手段をさらに有し、
前記固定手段により固定された被検査側コネクタの固定状態が、所定の操作によって解除することで、繰り返し所望の位置の固定可能とされ、
測定対象の２端子を決定した後に、前記被検査側コネクタを前記測定基板へ固定する請求項４記載の差動インピーダンス測定方法。
【請求項７】
光ディスク記憶媒体を装填し、光ピックアップを駆動することで、当該光ディスク記憶媒体に対して情報を書き込み、或いは光ディスク記憶媒体から情報を読み取る光ディスク装置であって、前記請求項１乃至請求項３の何れか１項記載の差動インピーダンス測定端子選択装置に対して、光ディスク装置の一部又は全部完成品状態でフレキシブルプリント基板又はフレキシブルフラットケーブルの何れかの端子群が接続とされ、差動インピーダンスを測定可能である光ディスク装置。
【発明の詳細な説明】
【技術分野】
【０００１】
本発明は、入出力端子群又は前記他端部端子群から２端子を選択してインピーダンス測定装置へ中継する差動インピーダンス測定端子選択装置、この差動インピーダンス測定端子選択装置を用いた差動インピーダンス測定方法、並びに、前記差動インピーダンス測定対象であるフレキシブルプリント基板が搭載された光ディスク装置に関するものである。
【背景技術】
【０００２】
近年、ＦＰＣ板（Flexible Printed Circuits／フレキシブルプリント基板）を使ってＬＶＤＳ（Low voltage differential signaling）技術で信号を扱うため、ＦＰＣの伝送線路インピーダンス管理が必要になっている。
【０００３】
この場合、従来は、当該伝送線路インピーダンスを管理しないか、或いは、擬似コモンインピーダンスで管理するようにしていた。
【０００４】
擬似コモンインピーダンスの測定を、製品（例えば、光ディスク装置等）の形で行う場合は、差動信号の一方を仮のGND（グランド）とし、もう一方に測定用の信号を加えて擬似コモンインピーダンスを測定し管理していた。
【０００５】
ところが、これでは、差動インピーダンスとコモンインピーダンスの合成となり、実際に使用するＬＶＤＳで求められる差動インピーダンスとは一致していないため、結果として設計者の意図と異なる製品が作製されることがあった。
【０００６】
また、伝送線路インピーダンスを管理する場合、ＦＰＣ及びＦＦＣ（Flexible Flat Cable／フレキシブルフラットケーブル）は、製品毎に信号の位置が異なり固有の測定治具が必要なことが予測される。
【０００７】
なお、特許文献１では、試験装置側の制御部で、スキャニングによるリレーの切り替えによって、試験装置への結線パターンを変えることができるようにする検査システムが提案されている。
【特許文献１】特開平１１−２０１９８９号公報
【発明の開示】
【発明が解決しようとする課題】
【０００８】
しかしながら、特許文献１では、スキャニングによるリレーの切り替えという、複雑な制御、機構を持たなければならず、任意個所への結線パターンの変更のための制御、構造が複雑となる。
【０００９】
本発明はこのような課題を解決するために、上記事実を考慮し、擬似コモンインピーダンスを用いず、簡単な構造で、実際の伝送線路の差動インピーダンスを測定することで、伝送線路インピーダンス管理を行うことができる差動インピーダンス測定端子選択装置、差動インピーダンス測定方法、並びに、光ディスク装置を得ることを目的とするものである。
【課題を解決するための手段】
【００１０】
本発明は、フレキシブルプリント基板に設けられた配線パターンが集結され、それぞれ所定ピッチで配列された複数の入出力端子群、或いは一端部が前記入出力端子群の各端子に電気的に接続されたフレキシブルフラットケーブルの他端部端子群を対象として差動インピーダンスを測定するべく、前記入出力端子群又は前記他端部端子群から２端子を選択してインピーダンス測定装置へ中継する差動インピーダンス測定端子選択装置であって、前記インピーダンス測定装置が接続される測定装置側コネクタが取り付けられた測定基板と、前記フレキシブルプリント基板の入出力端子群又は前記フレキシブルフラットケーブルの他端部端子群を前記測定基板の配線パターンに電気的に接続可能、かつ着脱可能な被検査側コネクタとを有し、前記測定装置側コネクタが、前記入出力端子群又は他端部端子群のそれぞれと電気的接続された前記測定基板の配線パターンの少なくとも２端子を一対として一対以上設けられていることを特徴としている。
【００１１】
さらに本発明は、フレキシブルプリント基板に設けられた配線パターンが集結され、それぞれ所定ピッチで配列された複数の入出力端子群、或いは一端部が前記入出力端子群の各端子に電気的に接続されたフレキシブルフラットケーブルの他端部端子群を対象として差動インピーダンスを測定するべく、前記入出力端子群又は前記他端部端子群から２端子を選択してインピーダンス測定装置へ中継するために、前記インピーダンス測定装置が接続される測定装置側コネクタが取り付けられた測定基板と、前記フレキシブルプリント基板の入出力端子群又は前記フレキシブルフラットケーブルの他端部端子群を前記測定基板の配線パターンに電気的に接続可能、かつ着脱可能な被検査側コネクタとを有する差動インピーダンス測定端子選択装置を用いた差動インピーダンス測定方法であって、前記測定装置側コネクタを、前記入出力端子群又は他端部端子群のそれぞれと電気的接続された前記測定基板の配線パターンの少なくとも２端子を一対として一対以上設け、選択的に異なる２端子の差動インピーダンスを測定対象とすることを特徴としている。
【００１２】
さらに、本発明は、光ディスク記憶媒体を装填し、光ピックアップを駆動することで、当該光ディスク記憶媒体に対して情報を書き込み、或いは光ディスク記憶媒体から情報を読み取る光ディスク装置であって、前記請求項１乃至請求項３の何れか１項記載の差動インピーダンス測定端子選択装置に対して、光ディスク装置の一部又は全部完成品状態でフレキシブルプリント基板又はフレキシブルフラットケーブルの何れかの端子群が接続とされ、差動インピーダンスを測定可能とされたことを特徴とする。
【発明の効果】
【００１３】
本発明によれば、擬似コモンインピーダンスを用いず、簡単な構造で、実際の伝送線路の差動インピーダンスを測定することで、伝送線路インピーダンス管理を行うことができる。
【発明を実施するための最良の形態】
【００１４】
（第１の実施の形態）
図１（Ａ）及び（Ｂ）には、第１の実施の形態に係る差動インピーダンス測定端子選択装置１００が示されている。
【００１５】
この差動インピーダンス測定端子選択装置１００は、所定の配線パターンがプリントされたプリント基板１０２を主構成部品としている。プリント基板１０２の一辺には、ＦＰＣ／ＦＦＣコネクタ部１０４が設けられている。また、プリント基板１０２の他の一辺には、ＳＭＡコネクタ部１０６が設けられている。
【００１６】
前記ＦＰＣ／ＦＦＣコネクタ部１０４には、被検査製品に設けられたフレキシブル・プリント・サーキット（ＦＰＣ）、或いはフレキシブル・フラットケーブル（ＦＦＣ）５６（以下、総称して「ＦＰＣ／ＦＦＣ５６」という）の一端部が着脱可能である。また、ＳＭＡコネクタ部１０６には、差動インピーダンス測定装置（図示省略）が接続されている。
【００１７】
ＦＰＣ／ＦＦＣコネクタ部１０４は、角棒形状で、その一面がプリント基板１０２に密着され、固定されている。この固定位置は、プリント基板１０２上に予め取り付られた一対のコネクタ固定パッド１０８によって決められている。すなわち、ＦＰＣ／ＦＦＣコネクタ部１０４の長手方向両端面は、それぞれ、一対のコネクタ固定パッド１０８に挟まれるように装着され、固定されるようになっている。
【００１８】
上記プリント基板１０２に固定されたＦＰＣ／ＦＦＣコネクタ部１０４の上面は、長手方向に亘り、切欠部１０４Ａが形成されている。この切欠部１０４Ａには、所定のピッチ寸法で配列されたコネクタ端子群の一端部が露出している。
【００１９】
この切欠部１０４Ａには、アダプタプレート１１０が着脱可能となっている。アダプタプレート１１０は、ＦＰＣ／ＦＦＣ５６の先端に取付られるようになっており、差動インピーダンス測定が必要な被検査装置のＦＰＣ／ＦＦＣ５６に予め取り付けられる。
【００２０】
また、プリント基板１０２に固定されたＦＰＣ／ＦＦＣコネクタ部１０４の側面からは、前記コネクタ端子群の他端が突出し、プリント基板１０２の配線パターン（パッド）１０２Ａに電気的に接続されている。
【００２１】
配線パターン（パッド）１０２Ａは、少なくとも２箇所に、互いに隣接する配線パターン同士をペアとした伝送ライン対１１２と一体化されている。
【００２２】
この伝送ライン対１１２は、延長方向先端部には、前記ＳＭＡコネクタ部１０６が接続されている。一対のＳＭＡコネクタ部１０６は、図示しない差動インピーダンス測定装置との接続に用いられる。
【００２３】
すなわち、１個の差動インピーダンス測定端子選択装置１００において、何れか一方の伝送ライン対１１２（一対のＳＭＡコネクタ１０６）を選択して、差動インピーダンスを測定することが可能となっている。
【００２４】
なお、理論的には、全ての前記コネクタ端子群と電気的に接続する配線パターン１０２Ａに伝送ライン１１２を設けることも可能である。一般的には、被検査装置のＦＰＣ／ＦＦＣ５６からピックアップする端子が規格等により位置が決められており、被検査装置に合わせて、２カ所の伝送ライン対１１２を決めることで、多くの被検査装置を対象することが可能である。
【００２５】
図２に示される如く、アダプタプレート１１０は、角棒状の本体１１４を備えている。本体１１４の一部は、長手方向に亘って切欠が設けられており、前記ＦＰＣ／ＦＦＣ５６の先端を挿入する挿入部１１６とされている。
【００２６】
挿入部１１６には、図示しないヒンジを介して挟み込みプレート１１８が設けられている。この挟み込みプレート１１８は、ヒンジ（図示省略）を介して挿入部１１６に対して開閉可能であり、前記ＦＰＣ／ＦＦＣ５６の先端が挿入部１１６に挿入された状態で閉止することで、ＦＰＣ／ＦＦＣ５６を保持することができる。
【００２７】
ここで、前記挿入部１１６には、ＦＰＣ／ＦＦＣ接続端子群１２０の一端部が露出している。このＦＰＣ／ＦＦＣ接続端子群１２０は、そのピッチ寸法が、前記ＦＰＣ／ＦＦＣ５６の配線ピッチ寸法と一致している。
【００２８】
また、アダプタプレート１１０における挿入部１１６と反対側からは、前記ＦＦＣ端子群１２０が突出している。このＦＦＣ端子群１２０は、アダプタプレート１１０が、ＦＰＣ／ＦＦＣコネクタ部１０４の切欠部１０４Ａに装着されたときに、前記コネクタ端子群と電気的に接続可能となっている。
【００２９】
以下に第１の実施の形態の作用を説明する。
【００３０】
被測定装置を対象して差動インピーダンス測定を行うための準備手順を説明する。
【００３１】
（１）  ＦＰＣ／ＦＦＣ５６のアダプタプレート１１０への取り付け
ＦＰＣ／ＦＦＣ５６の先端を、挟み込みプレート１１８を開放した状態で、挿入部１１６に挿入する。
【００３２】
挿入後の挟み込みプレート１１８を閉止する。これにより、ＦＰＣ／ＦＦＣ５６の各端子と、アダプタプレート１１０内のＦＰＣ／ＦＦＣ接続端子群１２０とがそれぞれ電気的に接続された状態でＦＰＣ／ＦＦＣ５６が保持される。
【００３３】
（２）  アダプタプレート１１０のＦＰＣ／ＦＦＣコネクタ部１０４への取り付け
一対のコネクタ固定パッド１０８の間に挟まれるように装着されたＦＰＣ／ＦＦＣコネクタ部１０４の切欠部１０４Ａに、アダプタプレート１１０を装着する。
【００３４】
この装着によって、ＦＦＣ接続端子群と、プリント基板１０２上の配線パターン１０２Ａとが電気的に接続される。
【００３５】
すなわち、ＦＰＣ／ＦＦＣ５６の各端子とプリント基板１０２上の配線パターン１０２Ａとが、ＦＦＣ接続端子群を介して電気的に接続される。
【００３６】
（３）  ＳＭＡコネクタ部の選択
被検査装置の機種番号や型番等、識別番号に基づいて、二対のＳＭＡコネクタ１０６の何れか一方を選択する。第１の実施の形態の場合、ＦＰＣ／ＦＦＣ５６の接続状態が固定であるため、少なくとも二対のＳＭＡコネクタ１０６から選択的に使用することが可能となる。
【００３７】
被検査装置によって、差動インピーダンスを測定するべき端子が異なり、第１の実施の形態では、その内の２カ所（測定端子として選択される確率が高い上位の端子であることが好ましい）を予め伝送ライン対１１２として、プリント基板１０２上で配線パターン１０２Ａと電気的に接続してあるため、その何れか一方の伝送ライン対１１２の先端に取り付けられたＳＭＡコネクタ部１０６を選択する。
【００３８】
（４）  ＳＭＡコネクタ部と差動インピーダンス測定装置との接続、測定
選択されたＳＭＡコネクタ部１０６は、差動インピーダンス測定装置の入力ポートの形状に合わせた構造となっており、単純に入力ポートへ差し込むことで、差動インピーダンス測定装置への被測定装置のＦＰＣ／ＦＦＣ５６が完了し、測定を実行する。
【００３９】
以上説明したように第１の実施の形態では、差動インピーダンス測定端子選択装置１００として、プリント基板１０２を主体として、被測定装置側、差動インピーダンス装置側のそれぞれに適合するコネクタ部（ＦＰＣ／ＦＦＣコネクタ部１０４、ＳＭＡコネクタ部１０６）を設けると共に、プリント基板１０２上に複数の伝送ライン対１１２を形成し、当該伝送ライン対１１２の数に対応したＳＭＡコネクタ部１０６を取り付けた。
【００４０】
これにより、異なる差動インピーダンス測定端子位置のＦＰＣ／ＦＦＣ５６であっても、同じようにアダプタプレート１１０を介して、ＦＰＣ／ＦＦＣコネクタ部１０４に装着することで、それぞれ、差動インピーダンス測定が可能となる。
【００４１】
（第２の実施の形態）
以下に本発明の第２の実施の形態について説明する。なお、第２の実施の形態において、前記第１の実施の形態と同一構成部分については、同一の符号を付してその構成の説明を省略する。
【００４２】
図３に示される如く、第２の実施の形態に係る差動インピーダンス測定端子選択装置２００の特徴は、当該差動インピーダンス測定端子選択装置２００のプリント基板１０２に取り付けられた状態を維持して、前記ＦＰＣ／ＦＦＣ５６と、ＦＰＣ／ＦＦＣコネクタ部１０４との相対位置関係を変更可能とする構造を有する点にある。
【００４３】
図３に示される如く、プリント基板１０２には、一対のコネクタ固定パッド１０８に挟持されて、所定位置にＦＰＣ／ＦＦＣコネクタ部１０４が取り付けられている。
【００４４】
このＦＰＣ／ＦＦＣコネクタ部１０４と、プリント基板１０２との間には、図３の奥行き方向でＦＰＣ／ＦＦＣコネクタ部１０４と重なるように、ＦＦＣガイド２０２が取り付けられている。このＦＦＣガイド２０２は、その長手方向寸法が前記ＦＰＣ／ＦＦＣコネクタ部１０４の長手方向寸法よりも長い。
【００４５】
ＦＦＣガイド２０２には、切欠部２０２Ａが形成されている。この切欠部２０２Ａには、ＦＰＣ／ＦＦＣ５６が装着されるようになっているが、当該切欠部２０２Ａの幅寸法は、ＦＰＣ／ＦＦＣ５６の幅寸法よりも大きく、切欠部２０２Ａ内でＦＰＣ／ＦＦＣ５６は幅方向に移動可能となる。
【００４６】
このＦＰＣ／ＦＦＣ５６は、一対の保持部２０４によって、その幅方向両端部が保持されている。
【００４７】
一対の保持部２０４は、それぞれ前記ＦＦＣガイド２０２と平行、かつ互いに平行とされたレール部材２０６とラック部材２０８とに掛け渡されている。ここで、一対の保持部材２０４は、レール部材２０６に対して摺動可能に取り付けられ、ラック部材２０８に対して固定されている。
【００４８】
また、前記レール部材２０６の長手方向両端部近傍には、歯車ガイド２１０が取り付けられ、この歯車ガイド２１０には、図示しない回転軸を介して歯車２１２が取り付けられている。この歯車２１２の歯部は、前記ラック部材２０８の歯部に噛み合っている。
【００４９】
歯車２１２は、図示しない駆動手段の駆動力で回転する構成となっており、この歯車２１２が回転すると、当該回転に応じて、ラック部材２０８が長手方向に移動するようになっている。
【００５０】
ラック部材２０８が移動すると、このラック部材２０８に一対の保持部２０４を介して装着されたＦＰＣ／ＦＦＣ５６が、同一の方向に移動する。
【００５１】
前記駆動手段は、当該ＦＰＣ／ＦＦＣ５６を、配線ピッチ寸法を単位とするステップで搬送するように制御される。
【００５２】
このステップ搬送制御によってＦＰＣ／ＦＦＣ５６を移動させることで、前記プリント基板１０２の配線パターン１０２Ａの一部に電気的に接続された一対の伝送ライン対１１２のそれぞれに対して、ＦＰＣ／ＦＦＣ５６の所望の隣接する端子を電気的接続させることができる。
【００５３】
第２の実施の形態によれば、ＦＰＣ／ＦＦＣ５６を装着した後に、駆動手段を制御してステップ搬送させることで、ほぼ全ての隣接するＦＰＣ／ＦＦＣ５６の端子を差動インピーダンス計測対象として選択することができる。このため、２箇所限定の第１の実施の形態に比べて、ユーティリティ性が向上する。
【００５４】
なお、第２の実施の形態では、ＦＰＣ／ＦＦＣ５６を横スライド可能としたため、一対のＳＭＡコネクタ部１０６の構成であってもよく、この場合、一対のＳＭＡコネクタ部１０６を端子配列方向中央部に配置するのが好ましい。
【００５５】
（第３の実施の形態）
以下に本発明の第３の実施の形態について説明する。なお、第３の実施の形態において、前記第１の実施の形態と同一構成部分については、同一の符号を付してその構成の説明を省略する。
【００５６】
図４に示される如く、第３の実施の形態に係る差動インピーダンス測定端子選択装置３００の特徴は、第１の実施の形態に対して、ＦＦＣコネクタ部１０６を簡易的に移動可能とした点にある。言い換えれば、第２の実施の形態に対して、構造を簡略化して、ＦＰＣ／ＦＦＣ５６における差動インピーダンス計測対象の端子と、伝送ライン対１１２との接続バリエーションを多様化した点にある。
【００５７】
図４に示される如く、プリント基板１０２には、ＦＦＣコネクタ部５６が取り付けられる一辺の全域に亘り、配線パターン３００Ａが設けられている。
【００５８】
この配線パターン３００Ａに沿うように、前記プリント基板１０２の一辺端部側に帯状のガイドパターン３００Ｂが設けられている。このガイドパターン３００Ｂは、他の配線パターン３００Ａとは絶縁されている。
【００５９】
このガイドパターン３００Ｂには、一対のコネクタ固定パッド３０２が所望の位置に半田付け可能となっている。
【００６０】
そこで、ＦＰＣ／ＦＦＣコネクタ部１０４に、ＦＰＣ／ＦＦＣ５６が保持されたアダプタプレート１１０を装着した状態で、所望の端子が伝送ライン対１１２に対応するように仮位置決めし、この仮位置決めしたＦＦＣコネクタ１０４の長手方向両端部に対応して、コネクタ固定パッド３０２を配置した状態で、前記ガイドパターン３００Ａに半田付けする。
【００６１】
これにより、ＦＰＣ／ＦＦＣコネクタ部１０４のプリント基板１０２への装着位置が一義的に決まることになる。
【００６２】
なお、半田付けは、所定温度以上の加熱を行えば溶解し、コネクタ固定パッド３０２をプリント基板１０２のガイドパターン３０２が取り外すことができ、ＦＰＣ／ＦＦＣ５６の異なる端子、或いは別のＦＰＣ／ＦＦＣ５６の端子を、新たに伝送ライン対１１２に対応させることが可能となっている。
【００６３】
図５（Ａ）〜（Ｄ）は、第３の実施の形態における、ＦＰＣ／ＦＦＣ５６をプリント基板１０２の所望の位置へ装着するまでの手順を示している。
【００６４】
まず、図５（Ａ）では、第３の実施の形態に係る差動インピーダンス測定端子選択装置３００を準備する。このとき、ＦＰＣ／ＦＦＣコネクタ部１０４は未接続状態である。
【００６５】
次に、図５（Ｂ）では、ＦＰＣ／ＦＦＣ５６の先端部をアダプタプレート１１０で保持し、さらにこのアダプタプレート１１０をＦＦＣコネクタ１０４の切欠部１０４Ａに装着する。このＦＰＣ／ＦＦＣ５６、アダプタプレート１１０、ＦＰＣ／ＦＦＣコネクタ部１０４のユニットをプリント基板１０２のガイドパターン３０２に沿って仮位置決めする。
【００６６】
図５（Ｃ）では、仮位置決め状態で、ＦＰＣ／ＦＦＣコネクタ部１０４の長手方向両端部にそれぞれコネクタ固定パッド３０２を半田付けする。これにより、ＦＰＣ／ＦＦＣコネクタ部１０４はプリント基板１０２に固定される。
【００６７】
ここで、伝送ライン対１１２と連続するプリント基板１０２の配線パターンと、ＦＰＣ／ＦＦＣコネクタ部１０４の端子との電気的接続を確実とする。この電気的接続は、前記半田付けにより、ＦＰＣ／ＦＦＣコネクタ部１０４の端子の弾性力のみでもよいし、この端子同士も半田付けするようにしてもよい。
【００６８】
図５（Ｄ）では、測定対象のＦＰＣ／ＦＦＣ５６をＦＰＣ／ＦＦＣコネクタ部１０４に装着し、測定を開始する。
【００６９】
この第３の実施の形態では、半田付けという固定手段を用いているが、この半田付けは所定の温度で溶解して、着脱が可能である。従って、異なる端子を目的とした測定の際に、比較的容易に半田付けを解除して、ＦＰＣ／ＦＦＣコネクタ部１０４を取り外し、新たに所定個所に半田付けを行うことができる。
【００７０】
（被検査装置の構成）
ここで、ＦＰＣ／ＦＦＣ５６を備えた被測定装置であるディスク装置１０を例に挙げ、その構成について、図６〜図８説明する。なお、このディスク装置１０において、本実施の形態の差動インピーダンス測定端子選択装置１００に接続される対象（ＦＰＣ／ＦＦＣ５６）を、フレキシブルフラットケーブル５６として説明する。
【００７１】
図６乃至図８には、被検査装置の一例である、ディスク装置１０の概略構成が示されている。
【００７２】
ディスク装置１０は、内部にディスクに記録/再生の為の処理を行う処理機構１１（図８参照）を収納する箱状のケース（又は、筐体或いはケース）１２と、このケースの前面の開放端を塞ぐフロントベゼル１４と、記録ディスクを処理機構に挿入し、あるいはディスクを処理機から排出するためのトレイ１６とを備えている。
【００７３】
処理機構１１は、主に、光ピックアップ２４（図８参照）を中心とする記録・再生機構からなる。
【００７４】
図８に示される如く、ケース１２は、天板１２Ｃと側板１２Ａとが一体成型によって形成された金属製の上部ケース１２Ｄと、底板１２Ｂとから構成されている。上部ケース１２Ｄと底板１２Ｂとの間に形成される空間に、処理機構１１が収納される。符号１３は処理機構１１が固定されるフレームである。
【００７５】
フロントベゼル１４の左右の端部には、処理機構１１側に向かって突出する短冊状の小片３２が設けられている。この小片３２の先端には側板１２Ｃのフロントベゼル側に形成された開口部に側板１２Ｃの内側から係合する爪が存在する。
【００７６】
ディスクトレイ１６はフロントベゼル１４の開口３４を介して図８の矢印Ａ方向に沿った方向で処理機構１１の本体側に進退する。符号２０はトレイを進退させるローディング機構である。
【００７７】
トレイ１６はディスクが載置されるプレート１６Ｂとフロンベゼル１４の開口３４を覆う正面パネル１６Ａとから構成される。符号１７はプレート１６Ｂに形成された開口である。
【００７８】
符号２２はターンテーブルでありディスクを回転可能に支持する。符号２４は光学ユニットとしての光ピックアップであり、送りモータ２５の駆動により図３の矢印Ｂ方向に移動する。
【００７９】
底板１２Ｂとベース１３との間にはフレキシブルプリント基板（ＦＰＣ）１８が設けられている。プリント基板１８は、サブプリント基板１９と共にベース１３に固定されている。
【００８０】
図８に示される如く、プリント基板１８には、光ピックアップ２４との間で信号のやりとりを行うフレキシブル・フラットケーブル（ＦＦＣ）５６の一端が接続されている。
【００８１】
フレキシブル・フラットケーブル５６は、肉厚方向に自在に屈曲可能であり、光ピップアップ２４が移動することによる、プリント基板１８との相対位置の変化に追従して屈曲し、その変化を吸収して接続状態を維持することができる。
【００８２】
本実施の形態に係る差動インピーダンス測定端子選択装置１００は、上記ディスク装置１０において、当該ディスク装置１０に組み込まれた状態で、フレキシブル・フラットケーブル５６（ＦＰＣ／ＦＦＣ５６）の差動インピーダンスを容易に、かつ非破壊で測定することができる。また、光ピックアップ２４に搭載しているレーザードライバに至る経路のインピーダンスまで測定できる。
【００８３】
なお、上記各実施の形態では、測定装置側コネクタとして、ＦＰＣ／ＦＦＣコネクタ部１０４を二対以上設けているが、第２の実施の形態、第３の実施の形態では、一対以上あればよい。
【００８４】
本実施の形態によれば、差動インピーダンス測定対象の異なる伝送線路に対して、付け変え等の作業が不要となり簡単な構造、簡単な作業で、装置アッセンブリ状態における実稼動中の伝送線路の差動インピーダンスを測定することができる。このため、出荷後も設計者が意図した範囲内での動作が可能となる。
【図面の簡単な説明】
【００８５】
【図１】第１の実施の形態に係り、差動インピーダンス測定端子選択装置の正面図であり、（Ａ）はＦＦＣ装着前、（Ｂ）はＦＦＣ装着後の状態を示す。
【図２】第１の実施の形態に係り、ＦＦＣの先端に取り付けるアダプタプレートの斜視図である。
【図３】第２の実施の形態に係り、差動インピーダンス測定端子選択装置の正面図である。
【図４】第３の実施の形態に係り、差動インピーダンス測定端子選択装置の正面図である。
【図５】第３の実施の形態に係り、ＦＦＣを差動インピーダンス測定端子選択装置へ取り付ける手順を示す差動インピーダンス測定端子選択装置の正面図である。
【図６】被検査対象の一例である光ディスク装置の斜視図である。
【図７】図６の光ディスク装置を別角度から見た光ディスク装置の斜視図である。
【図８】被検査対象の一例である光ディスク装置の分解斜視図である。
【符号の説明】
【００８６】
１０    光ディスク装置
１８    フレキシブルプリント基板
２４    光ピックアップ
５６    ＦＰＣ／ＦＦＣ（フレキシブルプリント基板／フレキシブルフラットケーブル）
１００    差動インピーダンス測定端子選択装置（第１の実施の形態）
２００    差動インピーダンス測定端子選択装置（第２の実施の形態）
３００    差動インピーダンス測定端子選択装置（第３の実施の形態）
１０２    プリント基板（測定基板）
１０４    ＦＰＣ／ＦＦＣコネクタ部（被検査側コネクタ）
１０６    ＳＭＡコネクタ部（測定装置側コネクタ）
１０８    コネクタ固定パッド
１０４Ａ    切欠部
１１０    アダプタプレート
１０２Ａ    配線パターン（パッド）
１１２    伝送ライン対
１１４    本体
１１６    挿入部
１１８    挟み込みプレート
１２０    ＦＰＣ／ＦＦＣ接続端子群
【図１】
2009085888.tif 000003
【図２】
2009085888.tif 000004
【図３】
2009085888.tif 000005
【図４】
2009085888.tif 000006
【図５】
2009085888.tif 000007
【図６】
2009085888.tif 000008
【図７】
2009085888.tif 000009
【図８】
2009085888.tif 000010